(57)【要約】  【課題】本発明は、施工性に優れ、また枠体がトラス構造になるため自重を増大させることなく枠体に作用する荷重に対して変形を小さくすることができ、石張りや植生等の自重によって枠体が折れたり曲ったりすることなく軽量で法面の安定性に優れ、また経年変化によって腐食して潜在植生や枠体内に導入された植物種子の肥料になり、さらに法面の全体を緑化することができ景観を整えることができるとともに環境保全性に優れた法枠を提供することを目的とする。  【解決手段】法枠１は、法面１００の勾配方向と略直交して配置された主材２と、木材や竹材で形成され主材２と交差する２本の斜材４，６と、を有し、三角形状に形成された枠体８を備える。  【選択図】図１
2006207205.tif 000002
【特許請求の範囲】
【請求項１】
法面の勾配方向と略直交して配置された主材と、木材や竹材で形成され前記主材と交差する２本の斜材と、を有し、三角形状に形成された枠体を備えていることを特徴とする法枠。
【請求項２】
前記斜材が、間伐材で形成されていることを特徴とする請求項１に記載の法枠。
【請求項３】
前記主材が、金属製であることを特徴とする請求項１又は２に記載の法枠。
【請求項４】
法面の勾配方向と略直交する方向に複数の主材を略平行に配置する主材配置工程と、法面に配置された前記主材と交差させて複数の斜材を固定し三角形状の複数の枠体を形成する枠体形成工程と、を備えていることを特徴とする法面保護工法。
【請求項５】
前記枠体形成工程で形成された前記枠体内に、斜面の掘削時に生じた表土、及び／又は、ガラス粉体を加熱して発泡されたガラス発泡体を収容した土のうを配置する土のう配置工程を備えていることを特徴とする請求項４に記載の法面保護工法。
【発明の詳細な説明】
【技術分野】
【０００１】
本発明は、山の傾斜面、堤防や道路等の建設に伴い形成された法面等（以下、単に法面という）を安定させる法枠及びそれを用いた法面保護工法に関するものである。
【背景技術】
【０００２】
従来より、山の傾斜面、堤防や道路等の建設に伴い形成された法面等の崩壊を防止し安定させるため、植生工が行われている。特に、植生のみでは不十分な法面等に対しては、モルタル吹付工やコンクリート吹付工、法枠工等の構造物を用いた法面保護工法が多用されている。法枠としては、法面等に沿って現場でコンクリートを打設したり、コンクリート製ブロックを配置するものが多く用いられてきた。
しかしながら、コンクリート製の法枠は、外観上周辺の自然環境にそぐわず不自然な景観となっていた。また、施工が大掛りになり施工性に欠けるという問題があった。また、年月の経過とともに枠体の内側や外側は植生が進み緑化されるが、法枠自体はコンクリート製のため異物として法面に残留し環境保全性に欠けるという問題を有していた。
そこで、近年、施工が容易で工事費も安く施工後の景観も良好な法枠として、間伐材等の木材を利用したものが開発されている。
従来の技術としては、（特許文献１）に「接続片を備えた法枠接続器を用い、棒状の法枠用枠材の端部を接続して格子状又は斜め格子状に複数個の枠体を形成する法枠工法」が開示されている。
（特許文献２）には、「断面コ字状の嵌合溝が形成された複数の間伐材の嵌合溝同士を重ね合わせて連結することにより菱形の法枠を形成する間伐材使用の法枠護岸工法」が開示されている。
（特許文献３）には、「間伐材等の木材の中心部に貫通孔を形成し、該貫通孔内に線材等を挿通することにより法枠材を形成するとともに、該線材等の端部に締結具を配設し、該締結具を介して複数の法枠材を連結した筋状又は格子状の法枠」が開示されている。
【特許文献１】特開２０００−１１０１６６号公報
【特許文献２】特開２００２−６１１５０号公報
【特許文献３】特開２００２−３７１５６２号公報
【発明の開示】
【発明が解決しようとする課題】
【０００３】
しかしながら上記従来の技術においては、以下のような課題を有していた。
（１）（特許文献１）乃至（特許文献３）に開示の技術は、間伐材等の木材を用い、枠体が格子状や斜め格子状等の四角形に形成された法枠を形成するものなので、枠体の一辺の長さ等を決めても枠体の四角形の形状が定まらないため容易に変形し、法枠を組み立てる際の施工性に欠けるという課題を有していた。
（２）上記の技術は、法枠接続器や締結具を用いたり間伐材に嵌合溝や貫通孔を形成したりしなければならず、間伐材に法枠接続器を接続するための透孔や嵌合溝、線材等を挿通するための貫通孔を形成する加工工数を要し施工性に欠けるという課題を有していた。
（３）一定の長さに短く切断された間伐材等の木材を法枠接続器や締結具を用いて連結しているため、木材が本来もっている曲げ抵抗力を十分に活かすことができず、枠に作用する荷重によって大きく変形したり折れたりし易く機械的強度に欠け、さらに木材を一定の長さに切断するため、規格の長さに満たない端材が発生し、この処分が必要になり省資源性に欠けるという課題を有していた。
【０００４】
本発明は上記従来の課題を解決するもので、施工性に優れ、また枠体がトラス構造になるため自重を増大させることなく枠体に作用する荷重に対して変形を小さくすることができ、石張りや植生等の自重によって枠体が折れたり曲ったりすることなく軽量で法面の安定性に優れ、また経年変化によって腐食して潜在植生や枠体内に導入された植物種子の肥料になり、さらに法面の全体を緑化することができ景観を整えることができるとともに環境保全性に優れた法枠を提供することを目的とする。
また本発明は、施工性に優れ、またコンクリート打設等の特殊作業が不要で簡単な作業で法枠が設置できるので、熟練工以外の作業員による法枠工が実現でき作業性に優れた法面保護工法を提供することを目的とする。
【課題を解決するための手段】
【０００５】
上記従来の課題を解決するために本発明の法枠及びそれを用いた法面保護工法は、以下の構成を有している。
本発明の請求項１に記載の法枠は、法面の勾配方向と略直交して配置された主材と、木材や竹材で形成され前記主材と交差する２本の斜材と、を有し、三角形状に形成された枠体を備えた構成を有している。
この構成により、以下のような作用が得られる。
（１）枠体が三角形状に形成されているので、斜材の長さを決めて主材と交差させ交点で固定すれば、枠体を一定の形状にすることができ施工性に優れる。三角形は、頂角から対辺までの距離と二辺の長さが決まれば、一定の形状に定められるからである。
（２）主材と２本の斜材を備えた枠体が三角形状に形成されているので、枠体がトラス構造になるため、自重を増大させることなく全体としての曲げモーメントに対して変形を小さくすることができ、植生を図る土のう等の自重によって枠体が折れたり曲ったりすることなく法面を安定化できる。
（３）斜材が木材や竹材で形成されているので、経年変化によって腐食して、潜在植生や枠体内に導入された植物種子の肥料になり、さらに法面の全体を緑化することができ景観を整えることができるとともに環境保全性に優れる。
（４）木材や竹材を任意の箇所で連結して斜材を形成することができ自在性に優れ、また木材や竹材の長さを揃える必要がないため、切り揃える作業や工数が不要で生産性に優れ、さらに端材が発生しないため端材の処分が不要で省資源性に優れる。
（５）現場内や近隣の人工林や竹林から伐採した木材や竹材を有効に利用することができ、運搬や加工に要する工数を大幅に削減することができるとともに省エネルギー性に優れる。
【０００６】
ここで、主材としては、幹から枝を落としたままの形の丸太，長さ方向に半割にした丸太，面を粗く落とし丸身のついた角材の形にした杣角，素材を削り出したり切断して棒状や板状等に加工した製材等の木材、伐採した竹材、合成樹脂製で形成された擬似丸太等の擬似木材、鉄筋、棒鋼，Ｉ形鋼，ミゾ形鋼，Ｈ形鋼等の鋼材等が用いられる。
【０００７】
斜材としては、幹から枝を落としたままの形の丸太，長さ方向に半割にした丸太，面を粗く落とし丸身のついた角材の形にした杣角，素材を削り出したり切断して棒状や板状等に加工した製材等の木材、伐採した竹材等が用いられる。なかでも幹から枝を落としただけの丸太や竹材が好適であり、特に丸太が好適に用いられる。所定の長さに切り揃えることなく幹から枝を落としただけの任意の材を用いることができるので、加工工数を著しく削減することができ、さらに太さ方向の圧縮強度が高いので割れ難く法枠の耐久性を高めるからである。木材や竹材は、任意の長さのものを複数本連結して長尺化させた連結材も斜材として用いることができる。
【０００８】
２本の斜材が主材と交差して形成された枠体は三角形状に形成される。枠体をトラス構造にするためである。なかでも、主材を底辺とする二等辺三角形、正三角形に形成された枠体が好適に用いられる。枠体が左右対称になるので施工性に優れるとともに、荷重を左右の斜材に均等に分配して耐久性を高めることができるからである。
【０００９】
斜材と主材が交差する交点は、線材等の連結部材で緊締したり、穿設加工の工数等を要するが、交点に穿設した孔部にボルト等の連結部材を挿通して固定したりすることができる。また、斜材に断面コ字状等の溝部を形成し主材を嵌め込んで交差し易くすることもできる。また、接続片等を備えた法枠接続器等の連結部材を別途用意して、斜材と主材とを交差させて固定することもできる。
【００１０】
形成された枠体は、斜材と主材の交点や交点の下方に、杭や鉄筋製等のアンカー等の枠体係止具を打ち込み、枠体係止具で枠体を係止して、動かないように法面に固定する。土質、地盤等の条件により、枠体係止具として、アンカーバー、土中梁等を用いることもできる。枠体係止具を用いて枠体を係止し法面に固定することにより、枠体の自重や、枠体内に配設される土のう等の自重によって、枠体が法面から滑り落ちたり枠体が法面から浮き上がったりするのを防止できる。また、枠体係止具を交点の下方に打ち込むことで、斜材や主材を重ねて枠体の高さを高くする場合に、斜材や主材を重ね合わせ枠体係止具に係止させることによって、重ね合わせた斜材等を容易に固定できる。また、枠体係止具を複数の交点や交点の下方に打ち込むことで、枠体や土のう等の自重を分散させ、１個の枠体係止具にかかる負荷を小さくして、枠体を法面に容易に固定することができる。
また、法面の勾配方向と略直交する方向に配置された主材の下方の法面に、杭や鉄筋製等のアンカー等の主材係止具を打ち込み、法枠が法面の勾配方向に落下しないように係止する。
【００１１】
本発明の請求項２に記載の発明は、請求項１に記載の法枠であって、前記斜材が、間伐材で形成されている構成を有している。
この構成により、請求項１で得られる作用に加え、以下のような作用が得られる。
（１）森林の保全のために伐採された間伐材を有効に活用することができ、また現場周辺の間伐を促すことができ、省資源性に優れるとともに環境保全性に優れる。戦後に大量に植林されたものが林業の低迷によって必要な伐採が行われず荒廃する山林が多く、また間伐されてもそのまま林地に放置された間伐材は土石流等の災害の一因ともなるため、林地からの間伐材の撤去及び間伐材の有効利用が大きな課題になっているからである。
【００１２】
間伐材としては、山林から伐採された木材や竹材が用いられ、幹から枝を落としたままの形の丸太や、長さ方向に半割にした丸太，面を粗く落とし丸身のついた角材の形にした杣角等のように加工されたものも用いることができる。なかでも、長さ，末口径，形を揃えずに切断された間伐材が好適に用いられる。長さ，末口径，形を揃える工数が不要で生産性に優れるからである。
【００１３】
本発明の請求項３に記載の発明は、請求項１又は２に記載の法枠であって、前記主材が、金属製である構成を有している。
この構成により、請求項１又は２で得られる作用に加え、以下のような作用が得られる。
（１）主材が金属製なので引張り強さ及び圧縮強さが大きいため、全体としての曲げモーメントに対して主材に大きな引張り力及び圧縮力が生じて抵抗することができ、土圧等に対して高い耐性を有する。
（２）主材が金属製なので長尺の主材を容易に形成することができ、長大スパンの法枠を製造することができる。
【００１４】
ここで、金属製の主材としては、鉄筋、棒鋼，Ｉ形鋼，ミゾ形鋼，Ｈ形鋼等の鋼材等が用いられる。
【００１５】
本発明の請求項４に記載の法面保護工法は、法面の勾配方向と略直交する方向に複数の主材を略平行に配置する主材配置工程と、法面に配置された前記主材と交差させて複数の斜材を固定し三角形状の複数の枠体を形成する枠体形成工程と、を備えた構成を有している。
この構成により、以下のような作用が得られる。
（１）法面の勾配方向と略直交する方向に複数の主材を略平行に配置した後、主材と交差させて複数の斜材を固定し三角形状の複数の枠体を形成することで法枠ができるので施工性に優れ、またコンクリート打設等の特殊作業が不要で簡単な作業で法枠が設置できるので、施工期間の大幅な短縮を図ることができるとともに熟練工以外の作業員による法枠工が実現でき作業性に優れる。
【００１６】
ここで、主材配置工程としては、滑り止めのために杭や鉄筋製等のアンカー等の主材係止具で法面に主材を係止しながら、法面の勾配方向と略直交する方向に複数の主材を略平行に配置するものが用いられる。
【００１７】
枠体形成工程としては、枠体の三角形の一辺の間隔で斜材に予め目印を付け、この目印の位置で主材と交差させ斜材と主材の交点でお互いを固定すると、同一の大きさで同一形状の枠体を形成することができるとともに施工性に優れるため好ましい。
形成された枠体は、斜材と主材の交点や交点の下方の法面に、杭や鉄筋製等のアンカー等の枠体係止具を打ち込み、動かないように法面に係止する。
【００１８】
枠体形成工程の後、枠体内には法面の状況に応じて植生、土のう設置、石張り、ブロック張り、石張りと植生の併用等を行い、法面を安定化させる。
なお、枠体の高さが低い場合には、主材や斜材を複数段にすることもできる。
【００１９】
本発明の請求項５に記載の発明は、請求項４に記載の法面保護工法であって、前記枠体形成工程で形成された前記枠体内に、斜面の掘削時に生じた表土、及び／又は、ガラス粉体を加熱して発泡されたガラス発泡体を収容した土のうを配置する土のう配置工程を備えた構成を有している。
この構成により、請求項４で得られる作用に加え、以下のような作用が得られる。
（１）斜面の掘削時に生じた表土やガラス発泡体が土のうに収容されているので、雨水等でも流出し難く、さらに表土は有機質土を多く含むとともに潜在植生の量が多いため、在来種（自生種）による法面の緑化を実現できるとともに、現地発生土の有効活用を図ることができる。現地発生土は現場から運び去られ最終処分されることが多く、有効に活用されていないからである。
（２）ガラス粉体を加熱して発泡されたガラス発泡体は大小様々な径の連続気泡が存在するので、土のうの軽量化を図ることができ、さらに保水性や保湿性に優れるとともに微生物が定着し易いため、定着した微生物によって落葉落枝の分解を促進することができる。
【００２０】
ここで、ガラス発泡体としては、ガラス粉体を加熱して発泡させることにより製造されるものが用いられる。ガラス粉体として、薬品用びん，化粧品用びん，食料調味料用びん，飲料用びん等のガラスびん、板ガラス、窓ガラス、テレビやディスプレイのガラスパネル等の廃棄物、ガラス製品工場から発生するスクラップ等の廃ガラスを粉砕したものを用いると、廃棄物の再資源化を図ることができ省資源性に優れ好ましい。また、所定の温度に達すると分解して気体を発生する発泡剤がガラス粉体に混合されて加熱することにより、発泡剤が分解し容易にガラス発泡体が得られる。
【００２１】
発泡剤としては、炭酸カルシウム，ドロマイト等の金属炭酸塩、窒化珪素等の金属窒化物、炭化珪素等の金属炭化物等を用いることができる。なかでも、発泡剤として、牡蠣，帆立貝，赤貝，ハマグリ，アサリ，アワビ，サザエ，シジミ，カラスガイ，ドブガイ等の貝殻を粉砕した貝殻粉体を用いると、廃棄物の再資源化を図ることができ省資源性に優れ好ましい。また、以下のような作用が得られる。
（１）貝殻に含まれる酸化カルシウムが水分を吸収して生成される水酸化カルシウムが溶出し易いので、法面の土壌に有効に作用する。
（２）貝殻粉体の主成分は炭酸カルシウムであるが、マグネシウムやそれ以外の成分も含有しており全てが熱分解しないので、基体内に貝殻残渣が分散して存在する。このため、ガラス発泡体の貝殻残渣等からカルシウム、マグネシウム等が雨水等に溶出するので、雨水等に溶解しているリン酸が、溶出したカルシウムとの反応やガラス発泡体内のカルシウム分に吸着されてリン酸カルシウム（不溶性）になり、法面を流れる雨水等の浄化を行うことができる。
（３）貝殻粉体を発泡剤として用いたガラス発泡体は、アンモニア性窒素及びリン酸態リンの吸着効果に優れるため、植物の生育に必要な窒素、リンを法面に還元することができ植物の生育に適している。
【００２２】
土のうは、表土やガラス発泡体の他、ピートモス，バーク堆肥，腐葉土等の有機質材料、バーミキュライト等の無機質材料を収容させることもできる。土のうは、法面の傾斜が緩やかな場合は設置するだけでよいが、急斜面の場合はアンカー等で固定することもできる。
また、必要に応じて、植物の種子を混入させたり苗を植樹することもできる。種子や苗は、自然植生の中から樹種を選定するのが望ましい。樹種として外来種を選定すると、これが一旦根付いた場合に在来種（自生種）が生育する余地が無くなり、外来種が繁殖し地域の生態系が崩れるおそれがあるからである。
【発明の効果】
【００２３】
以上のように、本発明の法枠及びそれを用いた法面保護工法によれば、以下のような有利な効果が得られる。
請求項１に記載の発明によれば、
（１）斜材の長さを決めて主材と交差させ交点で固定すれば、枠体を一定の三角形状にすることができ施工性に優れた法枠を提供することができる。
（２）枠体がトラス構造になるため、自重を増大させることなく枠体に作用する荷重に対して変形を小さくすることができ、石張りや植生等の自重によって枠体が折れたり曲ったりすることなく軽量で法面の安定性に優れた法枠を提供することができる。
（３）経年変化によって斜材が腐食して、潜在植生や枠体内に導入された植物種子の肥料になり、さらに法面の全体を緑化することができ景観を整えることができるとともに環境保全性に優れた法枠を提供することができる。
（４）木材や竹材を任意の箇所で連結して斜材を形成することができ自在性に優れ、また木材や竹材の長さを揃える必要がないため、切り揃える作業や工数が不要で生産性に優れ、さらに端材が発生しないため端材の処分が不要で省資源性に優れた法枠を提供することができる。
（５）現場内や近隣の人工林や竹林から伐採した木材や竹材を有効に利用することができ、運搬や加工に要する工数を大幅に削減することができるとともに省エネルギー性に優れた法枠を提供することができる。
【００２４】
請求項２に記載の発明によれば、請求項１の効果に加え、
（１）森林の保全のために伐採された間伐材を有効に活用することができ、また現場周辺の間伐を促すことができ、省資源性に優れるとともに環境保全性に優れた法枠を提供することができる。
【００２５】
請求項３に記載の発明によれば、請求項１又は２の効果に加え、
（１）全体としての曲げモーメントに対して主材に大きな引張り力及び圧縮力が生じて抵抗することができ、土圧等に対して高い耐性を有する法枠を提供することができる。
（２）長尺の主材を容易に形成することができ、長大スパンの法枠を提供することができる。
【００２６】
請求項４に記載の発明によれば、
（１）施工性に優れ、またコンクリート打設等の特殊作業が不要で簡単な作業で法枠が設置できるので、施工期間の大幅な短縮を図ることができるとともに熟練工以外の作業員による法枠工が実現でき作業性に優れた法面保護工法を提供することができる。
【００２７】
請求項５に記載の発明によれば、請求項４の効果に加え、
（１）在来種（自生種）による法面の緑化を実現できるとともに、現地発生土の有効活用を図ることができる法面保護工法を提供することができる。
（２）土のうの軽量化を図ることができ、さらに保水性や保湿性に優れるとともに微生物が定着し易いため、定着した微生物によって落葉落枝の分解を促進することができる法面保護工法を提供することができる。
【発明を実施するための最良の形態】
【００２８】
以下、本発明を実施するための最良の形態を、図面を参照しながら説明する。
（実施の形態１）
図１は本発明の実施の形態１における法枠の斜視図である。
図中、１は実施の形態１における法枠、１００は山の傾斜面，堤防や道路等の建設に伴い形成された法面、２は鉄筋、棒鋼，Ｉ形鋼，ミゾ形鋼，Ｈ形鋼等の鋼材等の金属製、合成樹脂製、木材等で形成され法面１００の勾配方向と略直交する方向に後述する三角形状の枠体８の高さと略同一の間隔（本実施の形態では約１．７３ｍ）をあけて略平行に配置された複数の主材、３は杭や鉄筋等で形成されたアンカー等の主材係止具であり、法面１００の勾配方向に主材２が滑り落ちないように主材２の下方の法面１００に打ち込まれ主材２を係止し法面１００に固定している。４は木材や竹材で形成され主材２と斜交する複数の斜材であり、斜材４は適当な間隔をあけて略平行に配置されている。５は主材２と斜材４とが交差する交点、６は木材や竹材で形成され交点５で主材２及び斜材４と斜交し略平行に配置された複数の斜材、７は主材２と斜材４，６とが交差する交点５において主材２と斜材４，６とを固定する線材等の固定部材である。固定部材７としてボルトやナット等を用いる場合は、交点５の斜材４，６や主材２に穿設した孔部にボルトを挿通しナットを締結して固定する。鉄筋からなる主材２を用いる場合は、主材２に孔部を穿設するのが困難なので、固定部材７としては、線材や帯状のバンド等を用いるのが好ましい。８は主材２と斜材４，６を三辺とする三角形状に形成された枠体、９は法面１００と水平方向や高さ方向等に端部同士が重ね合わされた２本の斜材４，４、斜材６，６を連結する線材，ボルト等の連結部材、１０は交点５の下方の法面１００に埋め込まれ枠体８を係止し法面１００に固定する杭や鉄筋等で形成されたアンカー等の枠体係止具である。
ここで、本実施の形態においては、枠体８を構成する主材２，斜材４，６の三辺は略同一の長さ（本実施の形態では約２ｍ）に形成されており、枠体８は略正三角形状に形成されている。また、主材２は鉄筋、棒鋼，Ｉ形鋼，ミゾ形鋼，Ｈ形鋼等の鋼材等の金属製で形成されており、斜材４，６は間伐材で形成されている。
【００２９】
以上のように構成された本発明の実施の形態１における法枠について、その施工方法を図面を参照しながら説明して、実施の形態１における法枠を用いた法面保護工法を以下に説明する。
図２は法面に主材が配置された状態を示す模式図であり、図３は斜材が配設されて枠体が形成された状態を示す模式図であり、図４は枠体に土のうが配置された状態を示す模式図である。
図中、１１は斜面の掘削時に生じた表土やガラス発泡体を収容した土のうである。本実施の形態においては、土のう１１に収容されたガラス発泡体は、ガラスびん等の廃ガラスを粉砕して形成されたガラス粉体を貝殻粉末の発泡剤とともに加熱して発泡させたものを用いている。
【００３０】
実施の形態１における法枠を用いた法面保護工法では、初めに、図２に示すように、図示しないトラッククレーンや作業員等を使って法面１００の勾配方向と略直交する方向に、複数の主材２を約１．７３ｍの間隔をあけて略平行に、主材係止具３で係止しながら法面１００に配置する（主材配置工程）。
斜材４，６は付近の山林等から間伐した後、幹から枝を落とし適当な長さに切断し、枠体８の一辺の間隔で目印を付けておく。本実施の形態では、一辺が約２ｍの枠体８を形成するので、２ｍ以上の長さに切断された間伐材の一端側から、２ｍ間隔にインク等で目印を付しておく。
次いで、図３に示すように、図示しないトラッククレーンや作業員等を使って、斜材４，６（間伐材）に付した目印の位置で法面１００に複数本配置された主材２と交差させ、固定部材７を用いて複数の斜材４，６を交点５で主材２に固定し、一辺が約２ｍの正三角形状の複数の枠体８を形成し法枠１を完成させる（枠体形成工程）。法枠１は、交点５の下方の法面１００に枠体係止具１０を打ち込み、動かないように法面１００に係止する。なお、斜材４，６を長尺化させる場合は、連結部材９を使って長手方向に連結して延長させる。
次いで、図４に示すように、土のう１１を枠体８内に配置して法面１００を安定化させる（土のう配置工程）。
【００３１】
以上のように、本発明の実施の形態１における法枠は構成されているので、以下のような作用が得られる。
（１）枠体８が三角形状に形成されているので、斜材４，６に枠体８の一辺の間隔で目印を付して主材２と交差させ交点５で固定すれば、枠体８を一定の形状にすることができ施工性に優れる。
（２）主材２と２本の斜材４，６を備えた枠体８が三角形状に形成されているので、枠体８がトラス構造になるため、法枠１の自重を増大させることなく枠体８に作用する荷重に対して変形を小さくすることができ、土のう１１の自重によって枠体８が折れたり曲ったりすることなく法面１００を安定化できる。特に、枠体８の一辺が略同一の長さの正三角形なので、寸法通りに配置し易く施工性に優れるとともに、荷重を均等に分散させて曲げ耐力を高めることができる。
（３）斜材４，６が木材や竹材で形成されているので、経年変化によって腐食して、潜在植生や枠体８内に導入された植物種子の肥料になり、さらに法面１００の全体を緑化することができ景観を整えることができるとともに環境保全性に優れる。
（４）斜材４，６が間伐材で形成されているので、森林の保全のために伐採された間伐材を有効に活用することができ、また現場周辺の間伐を促すことができ、省資源性に優れるとともに環境保全性に優れる。
（５）主材２が金属製なので引張り強さ及び圧縮強さが大きいため、全体としての曲げモーメントに対して主材２に大きな引張り力及び圧縮力が生じて抵抗することができ、土圧等に対して高い耐性を有する。また、長尺の主材２を容易に形成することができ、長大スパンの法枠１を製造することができる。
【００３２】
また、本発明の実施の形態１における法枠を用いた法面保護工法によれば、以下のような作用が得られる。
（１）法面１００の勾配方向と略直交する方向に複数の主材２を略平行に配置した後、主材２と交差させて複数の斜材４，６を固定し三角形状の複数の枠体８を形成することで法枠１ができるので施工性に優れ、またコンクリート打設等の特殊作業が不要で簡単な作業で法枠１が設置できるので、熟練工以外の作業員による法枠工が実現でき作業性に優れる。
（２）斜面の掘削時に生じた表土やガラス発泡体が土のう１１に収容されているので、雨水等でも流出し難く、さらに表土は有機質土を多く含むとともに潜在植生の量が多いため、在来種（自生種）による法面の緑化を実現できるとともに、現地発生土の有効活用を図ることができる。従来は、現地発生土は現場から運び去られ最終処分されることが多く、有効に活用されていないからである。
（３）ガラス粉体を加熱して発泡されたガラス発泡体は大小様々な径の連続気泡が存在するので、土のう１１の軽量化を図ることができ、さらに保水性や保湿性に優れるとともに微生物が定着し易いため、定着した微生物によって落葉落枝の分解を促進することができる。
（４）ガラス発泡体の発泡剤としての貝殻に含まれる酸化カルシウムは、水分を吸収して水酸化カルシウムが生成され溶出し易いので、土壌に有効に作用する。また、貝殻粉末で発泡されたガラス発泡体は、法面を流れる雨水等の浄化を行うことができるとともに、アンモニア性窒素及びリン酸態リンの吸着効果に優れるため、植物の生育に必要な窒素、リンを法面に還元することができ植物の生育に適している。
（５）法枠１の交点５の下方に枠体係止具１０が打ち込まれているので、法枠１や土のう１１等の自重を分散させ、１個の枠体係止具１０にかかる負荷を小さくして、法枠１を法面１００に容易に係止させることができる。
【００３３】
なお、本実施の形態においては、枠体８が正三角形状に形成された場合について説明したが、枠体８の一辺の長さは適宜選択できるので、斜材４，６の目印の間隔を適宜選択することによって、法面の状況に応じて、枠体８の形状を二等辺三角形や三辺の長さの異なる三角形にする場合もある。
また、斜材４，６として２ｍ以上の長さに切断された間伐材を用いたが、この長さに限定されるものではなく、任意の長さの木材や竹材を、任意の箇所で連結して長尺状にして用いることができる。
また、枠体８の高さが低い場合には、主材２や斜材４，６を高さ方向に重ねて複数段にして高くすることもできる。この場合は、斜材４，６の高さを高くするのが望ましい。木材や竹材で形成された斜材４，６は、経年変化によって腐食するため、環境保全性に優れるからである。
【産業上の利用可能性】
【００３４】
本発明は、山の傾斜面、堤防や道路等の建設に伴い形成された法面等を安定させる法枠及びそれを用いた法面保護工法に関し、施工性に優れ、また枠体がトラス構造になるため自重を増大させることなく全体としての曲げモーメントに対して変形を小さくすることができ、石張りや植生等の自重によって枠体が折れたり曲ったりすることなく軽量で法面の安定性に優れ、また経年変化によって腐食して潜在植生や枠体内に導入された植物種子の肥料になり、さらに法面の全体を緑化することができ景観を整えることができるとともに環境保全性に優れた法枠を提供でき、また施工性に優れ、コンクリート打設等の特殊作業が不要で簡単な作業で法枠が設置できるので、熟練工以外の作業員による法枠工が実現でき作業性に優れた法面保護工法を提供できる。
【図面の簡単な説明】
【００３５】
【図１】実施の形態１における法枠の斜視図
【図２】法面に主材が配置された状態を示す模式図
【図３】斜材が配設されて枠体が形成された状態を示す模式図
【図４】枠体に土のうが配置された状態を示す模式図
【符号の説明】
【００３６】
１  法枠
２  主材
３  主材係止具
４  斜材
５  交点
６  斜材
７  固定部材
８  枠体
９  連結部材
１０  枠体係止具
１１  土のう
１００  法面
【図１】
2006207205.tif 000003
【図２】
2006207205.tif 000004
【図３】
2006207205.tif 000005
【図４】
2006207205.tif 000006